(57)【要約】【課題】断水モードであっても可動トラップを排水位置に回動させることでボウル部内の汚物を排出できるようにして、緊急避難的に使用が可能となるようにした水洗便器を提供する。【解決手段】断水検出センサー３２が断水を検出した時に、洗浄スイッチ２９のオン操作で電動モータ２３を駆動させない断水モードが設けられている水洗便器であっても、断水動作モードを設けることで、断水動作モードスイッチ３０のオン操作後の洗浄スイッチ２９のオン操作で、電動モータ２３で可動トラップ１７を封水位置Ｕから排水位置Ｄに回動させた後に、封水位置Ｕに回動させて停止させることにより、給水が無いもののボウル部１２内の汚物が可動トラップ１７から排出可能になるので、断水時のような場合でも水洗便器１０の使用が緊急避難的にできるようになる。【選択図】図４
2007291706.tif 000002
【特許請求の範囲】
【請求項１】
洗浄スイッチのオン操作で、ボウル部の排水路に接続された可動トラップが略上向きの封水位置から略下向きの排水位置に回動された後に、封水位置に復帰して停止するように、電動モータで反転駆動されるようにした可動式排出機構を備える一方、断水検出センサーが断水を検出した時に、洗浄スイッチのオン操作で電動モータを駆動させない断水モードを設けた水洗便器において、
断水動作モードスイッチを設けて、断水動作モードスイッチのオン操作後の洗浄スイッチのオン操作で、電動モータで可動トラップを封水位置から排水位置に回動させた後に、封水位置に回動させて停止させる断水動作モードを設けたことを特徴とする水洗便器。
【請求項２】
断水モード時に、断水モードを報知する報知手段を設けたことを特徴とする請求項１または２に記載の水洗便器。
【請求項３】
前記洗浄スイッチは、断水動作モードスイッチを兼ねていることを特徴とする請求項１に記載の水洗便器。
【請求項４】
断水解除時に、給水量を通常動作時よりも増加させなから、可動トラップが封水位置から排水位置に回動された後に、封水位置に復帰して停止する給水復帰動作を行うように制御することを特徴とする請求項１〜３のいずれか一項に記載の水洗便器。
【請求項５】
断水解除後、規定回数だけ給水復帰動作を繰り返すように制御することを特徴とする請求項４に記載の水洗便器。
【発明の詳細な説明】
【技術分野】
【０００１】
本発明は、可動式排出機構を備えた水洗便器に関する。
【背景技術】
【０００２】
従来、図７（ａ）（ｂ）に示すように、ボウル部１の排水路２に接続された可動トラップ３が略上向きの封水位置Ｕと略下向きの排水位置Ｄとに反転回動される可動式排出機構４を備えた水洗便器５がある（特許文献１参照）。
【０００３】
そして、ケース７内で可動トラップ３が排水位置Ｄに下向き回動されることで、ボウル部１内の汚物は、洗浄水とともに可動トラップ３の排出口３ａから外部排出管６に排出されるようになる。
【０００４】
特許文献１の技術は、断水が発生している断水モードでは、可動トラップ３を封水位置Ｕに復帰させることで封水が破れないようにして、臭気等が上がらないようにしている。
【特許文献１】特開２００２−４７７１７号公報
【発明の開示】
【発明が解決しようとする課題】
【０００５】
しかしながら、断水が長時間に亘って発生しているような場合、やむを得ず別の使用者が用を足し終わって洗浄スイッチをオンしても、可動トラップ３が排水位置Ｄに回動しないので、ボウル部１内の汚物が排出されないという問題があった。
【０００６】
本発明は、前記問題を解消するためになされたもので、断水モードであっても可動トラップを排水位置に回動させることでボウル部内の汚物を排出できるようにして、緊急避難的に使用が可能となるようにした水洗便器を提供することを目的とするものである。
【課題を解決するための手段】
【０００７】
前記課題を解決するために、本発明は、洗浄スイッチのオン操作で、ボウル部の排水路に接続された可動トラップが略上向きの封水位置から略下向きの排水位置に回動された後に、封水位置に復帰して停止するように、電動モータで反転駆動されるようにした可動式排出機構を備える一方、断水検出センサーが断水を検出した時に、洗浄スイッチのオン操作で電動モータを駆動させない断水モードを設けた水洗便器において、断水動作モードスイッチを設けて、断水動作モードスイッチのオン操作後の洗浄スイッチのオン操作で、電動モータで可動トラップを封水位置から排水位置に回動させた後に、封水位置に回動させて停止させる断水動作モードを設けたことを特徴とする水洗便器を提供するものである。
【０００８】
請求項２のように、断水モード時に、断水モードを報知する報知手段を設けた構成とすることが好ましい。
【０００９】
請求項３のように、前記洗浄スイッチは、断水動作モードスイッチを兼ねている構成とすることができる。
【００１０】
請求項４のように、断水解除時に、給水量を通常動作時よりも増加させなから、可動トラップが封水位置から排水位置に回動された後に、封水位置に復帰して停止する給水復帰動作を行うように制御する構成とすることが好ましい。
【００１１】
請求項５のように、断水解除後、規定回数だけ給水復帰動作を繰り返すように制御する構成とすることが好ましい。
【発明の効果】
【００１２】
本発明によれば、断水検出センサーが断水を検出した時に、洗浄スイッチのオン操作で電動モータを駆動させない断水モードが設けられている水洗便器であっても、断水動作モードを設けることで、断水動作モードスイッチのオン操作後の洗浄スイッチのオン操作で、電動モータで可動トラップを封水位置から排水位置に回動させた後に、封水位置に回動させて停止させるようにできる。これにより、給水が無いもののボウル部内の汚物が可動トラップから排出可能になるので、断水時のような場合でも水洗便器の使用が緊急避難的にできるようになる。
【００１３】
請求項２によれば、報知手段で断水モードを報知するので、使用者は、水洗便器の使用前にバケツ等で水の準備ができるようになる。
【００１４】
請求項３によれば、洗浄スイッチが断水動作モードスイッチを兼ねているので、断水動作モードスイッチを省略できてコスト安になる。
【００１５】
請求項４によれば、断水解除時に、給水量を通常動作時よりも増加させることにより、断水動作モードでは給水が無いので、ボウル部、可動トラップ、外部排出管における汚物の排出性が劣ることから、これらの内部に残った汚物を強制的に排出させることができる。
【００１６】
請求項５によれば、給水復帰動作が断水解除時の1回だけでは、ボウル部等の内部に残った汚物を完全に排出させることができない場合があることから、断水が解除され後も、規定回数（例えば２〜５回）だけ給水復帰動作を繰り返すことで、汚物を完全に排出させることができる。
【発明を実施するための最良の形態】
【００１７】
以下、本発明を実施するための最良の形態について、図面を参照しながら詳細に説明する。
【００１８】
図１（ａ）（ｂ）に示すように、水洗便器１０は、スカート部１１とボウル部１２とリム部１３とで構成されて、リム部１３の上面部分には、開閉可能な蓋１４が取り付けられている。
【００１９】
スカート部１１内にはケース１５が設けられて、このケース１５内で、ボウル部１２の排水路１６に接続された可動トラップ１７が略上向きの封水位置Ｕと略下向きの排水位置Ｄ〔図２（ａ）参照〕とに反転回動されるようになる。可動トラップ１７は、屈曲可能なジャバラ状に形成されている。
【００２０】
ケース１５の側壁を水密に貫通する駆動軸１８が設けられ、ケース１５の内部において、駆動軸１８と可動トラップ１７の排出口１７ａとがリンク１９で連結されるとともに、ケース１５の外部において、駆動軸１８に電動モータ（図３参照）２３が連結されている。ここで、可動トラップ１７、駆動軸１８、リンク１９、電動モータ２３等は、可動式排出機構２２を構成する。
【００２１】
そして、図１（ａ）の状態から水洗便器５の使用者が洗浄スイッチ２９（図３参照）をオン操作すると、図１（ｂ）のように、電磁弁２０が開いてボウル部１２の内部に洗浄水が供給され（矢印ａ参照）、次いで図２（ａ）のように、電動モータ２３の正転により、駆動軸１８を介してリンク１９が時計回り回動されると、リンク１９に連動して可動トラップ１７が封水位置Ｕから排水位置Ｄに回動されることで、ボウル部１２内の汚物は、洗浄水とともに可動トラップ１７の排出口１７ａから外部排出管２１に排出されるようになる。
【００２２】
その後、図２（ｂ）のように、電動モータ２３の逆転により、駆動軸１８を介してリンク１９が反時計回り回動されると、リンク１９に連動して可動トラップ１７が排水位置Ｄから封水位置Ｕに回動され、次いでボウル部１２の内部の給水ラインまで洗浄水が供給されると、電磁弁２０が閉じて洗浄水の供給が停止されることで、図１（ａ）の状態に戻るようになる。
【００２３】
図３は、水洗便器１０に対して設けられた制御システムであって、便所内には、使用者が操作可能な操作パネル２６が取り付けられ、操作パネル２６の操作面には、液晶表示部（報知手段）２７、スピーカー（報知手段）２８、洗浄スイッチ２９、断水動作モードスイッチ３０等が設けられている。
【００２４】
また、操作パネル２６の内部には、制御ユニット３１が設けられ、この制御ユニット３１には、電磁弁２０、電動モータ２３，断水検出センサー３２等が接続されているとともに、液晶表示部（報知手段）２７、スピーカー（報知手段）２８、洗浄スイッチ２９，断水動作モードスイッチ３０等が接続されている。
【００２５】
そして、図６のフローチャートに示すように、ステップＳ１で洗浄スイッチ２９をオンすると、ステップＳ２で、「給水あり」かどうか（断水検出センサー３２で断水が検出されないで、電磁弁２０から給水されているかどうか）を判断し、ＹＥＳであれば、ステップＳ３で、可動トラップ１７が封水位置Ｕから排水位置Ｄに回動された後、排水位置Ｄから封水位置Ｕに回動されるという通常動作が行われる。また、ステップＳ２でＮＯであれば、「給水なし」、つまり断水モードであるから、ステップＳ４で、操作パネル２６の液晶表示部２７やスピーカー２８で断水を報知するとともに、洗浄スイッチ２９をオンしても可動トラップ１７の通常動作が行われなくなる。
【００２６】
前述の特許文献１では、ステップＳ１〜４のように、断水が発生している断水モードでは、ステップＳ１で洗浄スイッチ２９をオンしても、可動トラップ１７を封水位置Ｕから排水位置Ｄに回動させないようにすることで封水が破れないようにして、臭気等が上がらないようにしている。
【００２７】
しかしながら、断水が長時間に亘って発生しているような場合、やむを得ず別の使用者が用を足し終わって洗浄スイッチ２９をオンしても、可動トラップ１７が排水位置Ｄに回動しないので、ボウル部１２内の汚物が排出されない、つまりボウル部１２内に汚物が溜まることで、水洗便器５の使用ができなくなるという不具合がある。
【００２８】
そこで、本実施形態では、以下のようなステップで、ボウル部１２内の汚物を排出することが可能となる。
【００２９】
すなわち、操作パネル２６の液晶表示部２７やスピーカー２８で断水が報知されている断水モードにおいては、使用者は、水洗便器１０の使用前にバケツ３５等（図５参照）で水の準備ができるようになる。
【００３０】
そして、ステップＳ５で、断水動作モードスイッチ３０をオンすると、ステップＳ６で、断水動作モードに切り替わり、ステップＳ７で、洗浄スイッチ２９をオンすると、ステップＳ８で、「給水あり」かどうかを判断し、ＮＯであれば、「給水なし」、つまり断水モードが継続しているから、ステップＳ９で、図４（ａ）のように、可動トラップ１７が封水位置Ｕから排水位置Ｄに回動された後、図４（ｂ）のように、排水位置Ｄから封水位置Ｕに回動されるという断水用動作が行われる。
【００３１】
これにより、給水が無いもののボウル部１２部内の汚物が可動トラップ１７から排出可能になるので、断水時のような場合でも水洗便器１０の使用が緊急避難的にできるようになる。
【００３２】
図４（ｂ）のように、可動トラップ１７が排水位置Ｄから封水位置Ｕに回動されても、給水が無いことから、臭気等が上がるおそれがある。
【００３３】
そこで、ステップＳ１０で、操作パネル２６の液晶表示部２７等で溜水不足（断水モード）が報知されるので、図５のように、使用者は、使用前に準備したバケツ３５等の水を、使用後にボウル部１２に給水することで、可動トラップ１７に溜水を補給して臭気等が上がってくることを回避することができる。また、可動トラップ１７に溜水分を給水するだけであるので、バケツ３５等による給水量が少なくて済み、使用者の負担が軽減するようになる。
【００３４】
また、バケツ３５等による給水の結果、溜水不足が解消されて溜水不足が報知されなくなっても、断水状態は続いているので、ステップＳ１１で、操作パネル２６の液晶表示部２７やスピーカー２８で断水を報知し続けることになる。
【００３５】
なお、ステップＳ５で、断水動作モードスイッチ３０がオフのままであると、ステップＳ１２で、操作パネル２６の液晶表示部２７やスピーカー２８で断水を報知し続けることになる。
【００３６】
一方、ステップＳ７で、洗浄スイッチ２９をオンした時点で断水が解消されている時には、ステップＳ８で、「給水あり」のＹＥＳと判断し、ステップＳ１３で、電磁弁２０からの給水量を通常動作時よりも増加させながら、可動トラップ１７が封水位置Ｕから排水位置Ｄに回動された後に、封水位置Ｕに復帰する給水復帰動作が行われる。ここで、給水量を通常動作時よりも増加させるのは、断水動作モードでは、給水が無いので、ボウル部１２、可動トラップ１７、外部排出管２１における汚物の排出性が劣ることから、これらの内部に残った汚物を強制的に排出させるためである。
【００３７】
また、ステップＳ１３の給水復帰動作が１回だけでは、これらの内部に残った汚物を完全に排出させることができない場合があることから、断水が解除された後も、規定回数（例えば２〜５回）だけ給水復帰動作を繰り返すように、制御ユニット３１にプログラムされている。
【００３８】
前記実施形態では、洗浄スイッチ２９とは別に断水動作モードスイッチ３０を設けたが、断水動作モードスイッチ３０を省略して、洗浄スイッチ２９を例えば２度押しした時に、断水動作モードに切り替わるようにすることもできる。
【図面の簡単な説明】
【００３９】
【図１】本発明の実施形態に係る水洗便器であり、（ａ）は通常動作時における可動トラップの封水位置の側面断面図、（ｂ）は通常動作時おける給水中の側面断面図である。
【図２】本発明の実施形態に係る水洗便器であり、（ａ）は通常動作時における可動トラップの排出位置の側面断面図、（ｂ）は通常動作時における回動した直後の可動トラップの封水位置の側面断面図である。
【図３】本発明の実施形態に係る制御システム図である。
【図４】本発明の実施形態に係る水洗便器であり、（ａ）は断水動作モード時における可動トラップの排出位置の側面断面図、（ｂ）は断水動作モード時における回動した直後の可動トラップの封水位置の側面断面図である。
【図５】本発明の実施形態に係る水洗便器であり、断水動作モード時における可動トラップの封水位置の側面断面図である。
【図６】本発明の実施形態に係る制御フローチャートである。
【図７】従来の水洗便器であり、（ａ）は可動トラップが封水位置の側面断面図、（ｂ）は可動トラップが排水位置の側面断面図である。
【符号の説明】
【００４０】
１０    水洗便器
１２    ボウル部
１５    ケース
１６    排水路
１７    可動トラップ
２０    電磁弁
２１    外部排出管
２２    可動式排出機構
２３    電動モータ
２６    操作パネル
２７    液晶表示部（報知手段）
２８    スピーカー（報知手段）
２９    洗浄スイッチ
３０    断水動作モードスイッチ
３１    制御ユニット
３２    断水検出センサー
Ｄ      排水位置
Ｕ      封水位置
【図１】
2007291706.tif 000003
【図２】
2007291706.tif 000004
【図３】
2007291706.tif 000005
【図４】
2007291706.tif 000006
【図５】
2007291706.tif 000007
【図６】
2007291706.tif 000008
【図７】
2007291706.tif 000009